(57)【要約】【課題】  紫外線及び可視光線を選択的に吸収し、赤外線からなる反射光を集光させ、日焼け等を防ぎ、さらに利用時の眩しさを抑えた集光調理器具を提供することを課題とする。【解決手段】  集光調理器具１は、中心部が凹状に湾曲し、太陽光に含まれる紫外線及び可視光線を選択的に吸収することが可能な光吸収物質がコーティングされた光吸収層が形成された反射面２を有する円形状の反射板３と、反射板３の凸状に膨らんだ反射裏面６から延設され、設置面に集光調理器具１を設置するための脚部７とを具備して構成されている。そして、反射面２に紫外線、可視光線、及び赤外線を含む太陽光が照射されることにより、光吸収層によって紫外線及び可視光線が吸収され、反射光には物質を加熱するための赤外線のみが含まれることになる。その結果、利用者は、紫外線による日焼け等の影響を受けることがなく、かつ可視光線による眩しさを感じることが少なくなる。【選択図】        図４
2005114190.tif 000002
【特許請求の範囲】
【請求項１】
太陽光を利用して加熱し、調理を行う集光調理器具であって、
前記太陽光を反射する反射面を有する反射板と、
前記反射面に設けられ、前記太陽光に含まれる紫外線波長域にある紫外線を選択的に吸収する紫外線吸収手段と、
前記紫外線の吸収された反射光を集光点に集光させる集光手段と
を具備することを特徴とする集光調理器具。
【請求項２】
前記反射面での前記太陽光に含まれる可視光線波長域にある可視光線を吸収する可視光線吸収手段と、
前記可視光線が吸収された二次反射光を、前記集光点に集光させる二次集光手段と
をさらに具備することを特徴とする請求項１に記載の集光調理器具。
【請求項３】
前記紫外線吸収手段及び前記可視光線吸収手段の少なくともいずれか一方は、
前記紫外線波長域にある前記紫外線及び前記可視光線波長域にある前記可視光線の少なくともいずれか一方を選択的に吸収する光吸収物質を、前記反射板の前記反射面にコーティングして形成されることを特徴とする請求項２に記載の集光調理器具。
【請求項４】
前記紫外線吸収手段及び前記可視光線吸収手段の少なくともいずれか一方は、
前記紫外線波長域にある前記紫外線及び前記可視光線波長域にある前記可視光線の少なくともいずれか一方を選択的に吸収する光吸収物質を光吸収性フィルムによって、前記反射板の前記反射面を被覆して形成されることを特徴とする請求項２に記載の集光調理器具。
【請求項５】
前記光吸収物質は有色を呈し、
前記可視光線吸収手段は、
前記反射面によって反射される前記二次反射光の眩しさを軽減する防眩手段をさらに具備することを特徴とする請求項２乃至請求項４のいずれか一つに記載の集光調理器具。
【発明の詳細な説明】
【技術分野】
【０００１】
本発明は、集光調理器具に関するものであり、特に、太陽光を、反射板を利用して一カ所に集光し、太陽熱によって食材を加熱して調理を行うことが可能な集光調理器具に関するものである。
【背景技術】
【０００２】
従来から、太陽光を所定の集光点に集光し、集光点での太陽熱を利用して被加熱物となる食材を加熱したり、或いは水などを沸騰させて調理を行うことのできる集光調理器具（「太陽熱調理装置」或いは「ソーラークッカー」と呼称されることもある）が知られており、アウトドアで行われる調理に利用されている。また、これらのソーラークッカーは、自然の太陽光を利用するものであり、電気やガスなどを必要としない。そのため、これらのソーラークッカーを、電気の供給がなされていない開発途上国で利用したり、電気等の供給のストップした災害時に非常用の調理器具として利用することが行われている。そして、係るソーラークッカーによって得られる熱量は、２００〜３００Ｗ程度であり、快晴時には約１リットルの水を３０分で沸騰させることができる。また、直径６０ｃｍに形成されたパラボラ状の反射板を利用し、最大で約１４００℃程度の高温を得ることもできるものもある。
【０００３】
ここで、ソーラークッカーは、太陽光を集光し、さらに集光によって得られた太陽熱の拡散を防ぐために種々のタイプのものが考えられている。現在では、主にＡ）球面パラボラ型、Ｂ）放物面パラボラ型、Ｃ）ボックス型、及びＤ）パネル型の４種類にその形状を大別することができる。
【０００４】
Ａ）球面パラボラ型及びＢ）放物パラボラ型のソーラークッカーは、凹状に湾曲面や放物面の内側に太陽光の反射面を設け、湾曲に応じて太陽光を集光点に集めるものであり、太陽光の集光に関しては理想的な形状を有している。しかしながら、湾曲面等を形成するためにパラボラの面積が大きくなり、放熱による熱損失が大きくなる欠点を有している。一方、Ｃ）ボックス型は太陽光を箱の内部に閉じこめるようにして集光する構造を有しているため、熱損失が少ない利点を有している。しかしながら、加熱に利用される鍋等の調理具をボックスの底部付近に載置して使用するため、調理具のサイズや設置に制限があり、かつ所謂「オーブン」のような加熱用途に限定されることがある。さらに、Ｄ）パネル型は、比較的簡易に形成しやすく、初心者等の手によっても手軽に作成することができるタイプであるが、得られる熱量が少なく、かつ熱の損失が大きい点で難がある（非特許文献１参照）。
【０００５】
【非特許文献１】「太陽熱調理マシンの作り方  いちばん身近な自然エネルギー活用術」、ＢＥ−ＰＡＬ、小学館、２００３年７月号、ｐ２０２−２０７
【発明の開示】
【発明が解決しようとする課題】
【０００６】
しかしながら、上述のソーラークッカーには、下記のような問題を生じることがあった。すなわち、ソーラークッカーは、その加熱による原理から可能な限り多くの太陽光を一カ所に集光し、さらに集光した太陽光による太陽熱の放散をできるだけ少なくするような構造が必要であった。そのため、太陽光を反射して一カ所に集めるために、アルミパネルのような素材を用いた反射板を形成することが多かった。そして、太陽光を反射する反射面は、鏡面のように銀色に形成されていることが多かった。また、小型のソーラークッカーや段ボールを反射板に利用して製作された自作等のソーラークッカーは、家庭にあるアルミホイルやアルミテープなどを応用して反射面を形成するものが多かった。
【０００７】
ここで、アルミパネル等の銀色の素材で形成された反射面を有する反射板は、太陽光の反射効率は非常に優れるものの、太陽光が反射された反射光は非常に眩しく、ソーラークッカーの使用者は直視することはできなかった。そのため、太陽光の眩しさを防ぐ目的で、遮光性のサングラスを装着しながら、調理を行うこともあった。なお、眩しさを感じることは、人間の可視することができる可視光線波長域の一部が反射光に含まれていることを示している。
【０００８】
ここで、太陽光は、４００ｎｍ以下の紫外線波長域、４００〜７６０ｎｍ近傍の可視光線波長域、及び７６０ｎｍ〜４０００ｎｍ近傍に至る赤外線波長域の種々の波長域の光が含まれていることが知られている。そして、係る反射板の反射面では、入射された太陽光を、そのまま反射光として反射していた。
【０００９】
特に、紫外線は波長によってＵＶＡ（３２０〜４００ｎｍ）、ＵＶＢ（２８０〜３２０ｎｍ）、ＵＶＣ（１９０〜２８０ｎｍ）、及び真空紫外域（１００〜１９０ｎｍ）に大別されることあり、それぞれの特性が異なっている。ここで、２９０ｎｍ以下の短波長域に属する紫外線は、地球を取り巻くオゾン層や大気層によって吸収され、地表上まで到達することはない。一方、可視光線波長域に近い近紫外線域にあるＵＶＡは、地表上に到達する紫外線の約９０％以上を占め、皮膚に照射されることにより毛細血管を拡張させ、皮膚を赤く腫れさせる紅斑（サンバーン）現象を引き起こすことが知られている。さらに、ＵＶＢは、地表上に到達する比率は小さいが、人間を始めとする生物に対する作用が特に強く、前述の紅斑現象とともに、皮膚の色素細胞（メラノサイト）によってメラニン色素が生成され、皮膚が黒化する色素沈着（サンタン）現象を引き起こすものである。
【００１０】
その結果、ソーラークッカーを利用する利用者は、反射光に含まれる可視光線波長域の光に起因する調理時の眩しさと、目に見えない強力な紫外線を顔等の身体の一部に浴び続けていることになる。なお、照射される紫外線の量は、あまり大きくなく人体に重損なダメージを与えるものではないが、特に、女性などは、紫外線による日焼け、色素沈着、及びシミ・シワの発生を美容の点から嫌う傾向があり、ソーラークッカーの利用に消極的になることがあった。そのため、電気等の人工のエネルギーを用いず、太陽光の自然エネルギーを利用して調理を行うことのできるソーラークッカーの利用を躊躇することがあった。加えて、長時間紫外線を浴び続けることにより、目の網膜が損傷を受けることもあった。
【００１１】
ここで、ソーラークッカーを用いて食材等を調理する際に、食材の加熱効率に重要な影響を及ぼすものが、上述の７６０ｎｍ以上の赤外線波長域にある赤外線であることが良く知られている。つまり、太陽光に含まれる紫外線及び可視光線は、食材の加熱及び調理等に関してはほとんど必要性のないものであった。
【００１２】
そこで、本発明は、上記実情に鑑み、食材の加熱及び調理等に必要な赤外線のみを太陽光から選択的に抽出し、効率的な食材の加熱を行うことが可能であるとともに、防眩機能を有し、かつ日焼け等の紫外線の影響を受けることの少ない集光調理器具を提供することを課題とするものである。
【課題を解決するための手段】
【００１３】
上記の課題を解決するため、本発明の集光調理器具は、「太陽光を利用して加熱し、調理を行う集光調理器具であって、前記太陽光を反射する反射面を有する反射板と、前記反射面に設けられ、前記太陽光に含まれる紫外線波長域にある紫外線を選択的に吸収する紫外線吸収手段と、前記紫外線の吸収された反射光を集光点に集光させる集光手段と」を具備して主に構成されている。
【００１４】
したがって、本発明の集光調理器具によれば、太陽光を集光点に集光するように反射させる反射板の反射面に紫外線吸収手段が設けられている。これにより、紫外線、可視光線、及び赤外線を含む太陽光が、紫外線波長域の光が除かれた状態の反射光として反射面で反射される。そして、この反射光を予め設定された集光点に集光させることにより、太陽熱を利用して調理を行うことができるようになる。このとき、反射光には、紫外線が除かれたことによって可視光線及び赤外線の二つの波長域の光が含まれていることになる。
【００１５】
ここで、前述したように、集光調理器具における加熱は、赤外線波長域の範囲にある赤外線に起因する太陽熱によって行われている。そのため、集光調理器具における加熱効率を損なうことがない。そして、紫外線を反射光から排除することができるため、人体に対して日焼けや網膜に対する障害を引き起こす可能性を低くし、女性であっても安心して集光調理器具を利用してすることができるようになる。
【００１６】
なお、本発明の集光調理器具における反射光の集光手段とは、前述したＡ）球面パラボラ型、Ｂ）放物面パラボラ型、Ｃ）ボックス型、及びＤ）パネル型の各種タイプのソーラークッカーに適用される反射原理を利用して反射光を一カ所に集光させるものである。
【００１７】
さらに、本発明の集光調理器具は、上記構成に加え、「前記反射面での前記太陽光に含まれる可視光線波長域にある可視光線を吸収する可視光線吸収手段と、前記可視光線が吸収された二次反射光を、前記集光点に集光させる二次集光手段と」を具備するものであっても構わない。
【００１８】
したがって、本発明の集光調理器具によれば、反射板の反射面に上述の紫外線吸収手段とともも可視光線吸収手段が設けられている。これにより、太陽光から紫外線が吸収されるとともに、さらに可視光線が吸収され、結果として反射光には赤外線波長域の光のみが含まれることになる。なお、集光調理器具の加熱効率は、前述したように主に赤外線による太陽熱に依存するものであるため、可視光線を反射面で吸収することによって、加熱効率の減少を生じることはほとんどない。これにより、従来のように反射光を眩しさによって直視することができない状態を回避することができる。また、二次集光手段は、前述の集光手段と同一であるため、ここでは説明を省略する。
【００１９】
さらに、本発明の集光調理器具は、上記構成に加え、「前記紫外線吸収手段及び前記可視光線吸収手段の少なくともいずれか一方は、前記紫外線波長域にある前記紫外線及び前記可視光線波長域にある前記可視光線の少なくともいずれか一方を選択的に吸収する光吸収物質を、前記反射板の前記反射面にコーティングして形成される」ものであっても構わない。
【００２０】
ここで、光吸収物質の中で、紫外線を特に吸収するものとしては、パラメトキシケイ皮酸−２−エチルヘキシル（吸収対象波長域：ＵＶＢ）、パラジメチルアミノ安息香酸エチルヘキシル（吸収対象波長：ＵＶＢ）、オキシベンゾン／ベンゾフェノン（吸収対象波長：ＵＶＢ〜短波側のＵＶＡ）、サリチル酸−２−エチルヘキシル（吸収対象波長：ＵＶＢ）、４−ｔｅｒｔ−ブチル４ーメトキシーベンゾイルメタン（吸収対象波長：ＵＶＡが例示される。一方、可視光線を吸収するものとしては、光触媒として良く知られている二酸化チタンなどが例示される。なお、上述の紫外線吸収のための光吸収物質と、可視光線吸収のための光吸収物質とをそれぞれ別々にコーティングするものであっても、或いは紫外線吸収及び可視光線吸収の双方の機能を兼備した光吸収物質を用いるものであっても構わない。
【００２１】
したがって、本発明の集光調理器具によれば、紫外線及び可視光線を選択的に吸収するために、反射板の反射面に特定波長の光を吸収することが可能な光吸収物質が所定の膜厚を保持してコーティングされている。これにより、光吸収物質の作用により、反射面に対して照射された太陽光の中から選択的に紫外線及び可視光線が吸収され、残りの赤外線のみが反射光として反射し、集光点に集光される。これにより、加熱に必要な赤外線のみを集光点に集光させることができ、従来のように利用者が、反射光によって眩しさを感じることが少なくなる。
【００２２】
さらに、本発明の集光調理器具は、上記構成に加え、「前記紫外線吸収手段及び前記可視光線吸収手段の少なくともいずれか一方は、前記紫外線波長域にある前記紫外線及び前記可視光線波長域にある前記可視光線の少なくともいずれか一方を選択的に吸収する光吸収物質を光吸収性フィルムによって、前記反射板の前記反射面を被覆して形成される」ものであっても構わない。
【００２３】
したがって、本発明の集光調理器具によれば、紫外線及び可視光線を選択的に吸収する光吸収物質を含んだ光吸収性フィルムが反射板の反射面に被覆して形成されている。なお、光吸収物質については上述したものを適用することが可能であり、ここでは説明を省略する。係る光吸収物質を含んだ光吸収性フィルムとは、例えば、ポリエチレン樹脂、ポリプロピレン樹脂、及びＰＥＴ樹脂（ポリエチレンテレフタレート樹脂）などの従来から周知の樹脂製のフィルムの表面等に上述の光吸収物質を塗布したものや、或いはフィルムに成膜する前段階で原材料に光吸収物質を混在したものが挙げられる。
【００２４】
この光吸収性フイルムが反射面を被覆するように設けられているため、反射面に対して照射された太陽光は、係る光吸収性フィルムの表面若しくは内部によって紫外線波長域及び可視光線波長域にある光を吸収し、太陽光から紫外線及び／または可視光線が除かれた状態で、赤外線を含んでなる反射光が反射され、集光点に集光されることになる。これにより、反射面に対して直に光吸収物質を塗布及びコーティングをする面倒な作業を必要とすることなく、本発明の集光調理器具における作用を享受することが可能となる。加えて、仮に光吸収性フィルムが破損した場合でも、当該破損個所の光吸収性フィルムを張替えるだけで、破損前の状態に容易に復帰させることができ、安定して太陽光の集光を行うことができる。
【００２５】
さらに、本発明の集光調理器具は、上記構成に加え、「前記光吸収物質は有色を呈し、前記可視光線吸収手段は、前記反射面によって反射される前記二次反射光の眩しさを軽減する防眩手段を」具備するものであっても構わない。
【００２６】
したがって、本発明の集光調理器具によれば、光吸収物質が有色に形成されている。ここで、従来のソーラークッカーに適用されている反射面は、太陽光の反射を十分に行うために、主として単色の銀色を呈していることがほとんどであった。そこで、前述した紫外線等を吸収する光吸収物質（またはこれらを含有した光吸収性フィルム）を有色に着色することにより、反射面を従来の銀色以外のものにすることができる。このとき、光吸収物質の特定波長における光を吸収する吸収能が変化することはなく、反射光の主体を成す赤外線による集光調理器具の加熱効率に影響を及ぼすことはほとんどない。これにより、従来は使用時に感じていた反射光による眩しさを軽減することができる。さらに、種々の彩色が施された反射面を形成したり、或いは文字やデザインなどが反射面に施された集光調理器具を製作することが可能となる。
【発明の効果】
【００２７】
本発明の効果として、集光調理器具は、反射される太陽光（反射光）の中から、紫外線及び可視光線を選択的に吸収し、加熱に必要な赤外線のみを反射面で反射させることができる。これにより、紫外線による皮膚の日焼け等の諸問題、及び可視光線の反射に伴う反射面の眩しさに係る問題を解消することができる。さらに、使用時の眩しさを軽減し、従来は困難であった反射面に彩色を施したり、或いは文字などを表示することが可能となり、広告媒体の一部としての活用を期待することができる。
【発明を実施するための最良の形態】
【００２８】
以下、本発明の第一実施形態である集光調理器具１について、図１乃至図４に基づいて説明する。ここで、図１は第一実施形態の集光調理器具１の構成を示す正面図であり、図２は集光調理器具１の構成を示す右側面図であり、図３は反射面２に照射される太陽光４及び反射された反射光５の状態を模式的に示す説明図であり、図４は集光調理器具１の使用状態を示す説明図である。
【００２９】
本発明の第一実施形態の集光調理器具１は、図１乃至図４に示すように、中心部が凹状に湾曲して形成された反射面２を有する円形状の反射板３と、反射板３の凸状に膨らんだ反射裏面６から延設され、設置面Ｆに集光調理器具１を設置するための脚部７とを具備して主に構成されている。さらに、図４に示すように、反射板３の反射面２によって反射された反射光５が一カ所に集光される集光点８に、食材等を加熱して調理するための鍋などの調理具９が位置するように、調理具９を支持するための調理具支持台１０が準備されている。
【００３０】
さらに、詳細に説明すると、反射板３は、図２及び図３に示すように、凹状に湾曲した反射面２に、太陽光４に含まれる紫外線波長域及び可視光線波長域に相当する２００ｎｍ〜７６０ｎｍ付近の紫外線１１及び可視光線１２を吸収する光吸収物質１３をコーティングした光吸収層１４が形成されている。ここで、光吸収物質１３には、パラメトキシケイ皮酸−２−エチルヘキシル、パラジメチルアミノ安息香酸エチルヘキシル、オキシベンゾン／ベンゾフェノン、サリチル酸−２−エチルヘキシル、４−ｔｅｒｔ−ブチル４ーメトキシーベンゾイルメタンが用いられ、可視光線１２の反射による使用時の眩しさを軽減するために有色に着色が施されている。なお、第一実施形態の集光調理器具１は、球面パラボラ型に形成され、反射光５が集まる集光点８は、球の半径の１／２に位置するようになっている。ここで、球面に湾曲した反射板３が本発明における集光手段及び二次集光手段に相当し、反射面２によって反射される反射光５は、紫外線波長域の紫外線１１が吸収された反射光及び可視光線波長域の可視光線１２が吸収された二次反射光の双方が含まれているものである。ここで、光吸収物質１３及び光吸収層１４が、本発明における紫外線吸収手段及び可視光線吸収手段に相当する。
【００３１】
さらに、円形状の反射板３を支持する脚部７について、さらに詳細に説明すると、図１乃至図３に示すように、凸状に湾曲した反射裏面６の略中心付近に取着され、照射される太陽Ｓの太陽光４に対して最適な集光角度θとなるように反射板３の反射面２を自在に変位することが可能なユニバーサルジョイント１５と、ユニバーサルジョイント１５に連結され、設置面Ｆに対して略垂直に支持される支持脚１６及び支持脚１６の一端から三方向に分岐して延設され、接地部１７が設置面Ｆと接する三脚部１８からなる支持脚部１９とから主に構成されている。
【００３２】
これにより、太陽光４の照射される方向に反射面２を向け、さらに集光点８に反射光５が安定して集光されるように反射板３を支持することができる。加えて、地球の自転により太陽Ｓの位置が動いた場合でも、反射板３と支持脚部１９とを連結したユニバーサルジョイント１５によって集光角度θを常に最適な角度に容易に調整することができる。
【００３３】
さらに、食材等を加熱し、調理するために、反射光５の集光点８の位置に合わせて調理具９を支持するための、調理具支持台１０は、図４に示すように、設置面Ｆに対して垂設された四本の支持体２０と、支持体２０の上端近傍にそれぞれ連結され、横方向に支持する横支持体２１ａ，２１ｂと、互いに対向する一対の横支持体２１ａの間に架渡され、調理具９が載置される網状の網架部２２とから主に構成されている。そして、係る網架部２２に載置された調理具８が反射光５の集光点８に位置するように調整されている。
【００３４】
上記構成の第一実施形態の集光調理器具１によれば、反射板３の反射面２を反射に適する集光角度θになるように設定し、反射面２を太陽Ｓに向ける。これにより、反射面２に照射された太陽光４は、凹状に湾曲した放物面を備える反射面２によって一つの集光点８に集光されるように反射される。このとき、照射される太陽光４の中には、種々の波長領域にある光線が含まれ、主に紫外線１１、可視光線１２、及び赤外線（図示しない）が含まれている。ここで、太陽光Ｓが反射される反射面２には、前述したように特定波長の光を吸収する機能を有する光吸収物質１３がコーティングされた光吸収層１４が形成されている。そのため、係る反射面２に到達し、反射される太陽光４は、紫外線波長域にある紫外線１１及び可視光線波長域にある可視光線１２が係る光吸収層１４によって吸収される。その結果、反射板３の反射面２から反射し、集光される反射光５には、紫外線１１及び可視光線１２が吸収され、赤外線のみが残ることになる。赤外線は、物質の分子間の振動及び変位等の分子運動を活性化し、熱を生じさせる機能を有している。そして、赤外線が照射された物質は次第に高温になる。そこで、係る熱を利用して、本発明の集光調理器具１は、食材等を加熱し、調理することが可能となる。なお、物質を高温するために起因するものは、赤外線及びさらに長波長域の電子レンジに利用されるマイクロ波などである。そのため、前述した紫外線１１及び可視光線１２を吸収しても、食材の加熱効率に影響を与えることがほとんどなく、太陽Ｓから照射される太陽光４の太陽熱を利用した調理を行うことができる。
【００３５】
これにより、従来のソーラークッカーと呼ばれる集光調理器具１と比して、反射される紫外線１１がカットされ、集光調理器具１の利用者が係る紫外線１１を顔や腕などに浴びることが少なくなる。そのため、紫外線１１によってもたらされる皮膚の日焼けやシミなどの発生の問題を回避することができる。これにより、従来は集光調理器具１で調理を行うことを敬遠していた女性などでも、日焼け等の心配をすることなく安心して利用することができる。また、従来は長時間にわたって紫外線１１を見続けることにより、網膜に影響を及ぼすことが考えられるが、第一実施形態の集光調理器具１により、紫外線１１による網膜への影響を考慮する必要がなくなり、紫外線を折扱う際に目へのダメージを小さくすることができる。
【００３６】
さらに、紫外線波長域にある紫外線１１とともに、可視光線波長域にある可視光線１２の吸収を係る光吸収層１４は、行うことができる。そのため、従来はほぼ銀色のアルミパネルのような素材で形成され、太陽光４の照射によって可視光線１２を１００％反射していた反射板と比べ、太陽光４に含まれる可視光線１２が直接反射されることがないため、利用者が使用時に眩しさを感じることがない。加えて、銀色以外に着色を施した反射板３及び反射面２を有する第一実施形態の集光調理器具１を製作することが可能となり、従来は銀色に制限されていた反射板３の反射面２をカラフルにすることができる。加えて、有色の光吸収物質１３を多種類利用することにより、反射面２上に創生することができる。これにより、例えば、イラストやメーカーの宣伝用のロゴ、或いは会社名などを表示することができる。そのため、従来のソーラークッカーに比して多様性のある集光調理器具を製作することができるようになる。
【００３７】
次に、本発明の第二実施形態の集光調理器具２２について、図５に基づいて説明する。ここで、図５は第二実施形態の集光調理器具２２における光吸収性フィルム２３の（ａ）貼着前、及び（ｂ）貼着後の状態を模式的に示す説明図である。なお、図５において第一実施形態と略同一の構成及び機能を有するものは、説明を簡略化するために図示を省略し、或いは同一番号を付して詳細な説明を省略するものとする。
【００３８】
第二実施形態の集光調理器具２２は、第一実施形態の集光調理器具１と略同一の外観構成を示し、図５に示すように、反射板２４に光吸収物質１３を含んで製膜された光吸収性フィルム２３が貼着されている点において相違している。すなわち、集光調理器具２２は、凹状に湾曲した反射面２５の全面に沿って、矢印Ｄ方向（図５（ａ）参照）に光吸収性フィルム２３を貼着することにより、反射面２５を光吸収性フィルム２３により被覆された状態で形成されている（図５（ｂ）参照）。係る構成により、反射面２５に対して照射される太陽光４から、紫外線１１及び可視光線１２を吸収し、加熱に要する赤外線のみを抽出して反射光５として反射させることが可能となり、第一実施形態の集光調理器具１において示した効果と同様の効果を奏することができるようになる。さらに、仮に光吸収性フィルム２３が破損した場合でも、新たな光吸収性フィルム２３に張替えることにより、容易に修復することができる。加えて、従来のソーラークッカーの反射面に係る光吸収性フィルム２３を貼着することにより、第一実施形態及び第二実施形態において示した効果を簡易に得ることができる。そのため、従来のソーラークッカーを無駄にすることなく、本発明の効果を享受することができる。
【００３９】
以上、本発明について好適な第一実施形態及び第二実施形態を挙げて説明したが、本発明はこれらの実施形態に限定されるものではなく、以下に示すように、本発明の要旨を逸脱しない範囲において、種々の改良及び設計の変更が可能である。
【００４０】
すなわち、第一実施形態及び第二実施形態の集光調理器具１，２２において、ソーラークッカーのタイプとして球面パラボラ型のものを利用して説明したが、勿論これに限定されるものではなく、上述したその他のタイプＢ）放物面パラボラ型、Ｃ）ボックス型、及びＤ）パネル型のソーラークッカーに適用することも可能である。これにより、個々のタイプのソーラークッカーの利点と、本発明の効果とを合わせた集光調理器具を製造することができる。
【００４１】
また、本発明の集光調理器具１，２２において、赤外線からなる反射光５が集光点８に集光されていることを検知し、利用者に視覚等を通じて係る状況を認識させるような手段を設けたものであっても構わない。さらに具体的に説明すると、上述の赤外線は、当然のことながら、人間の肉眼（可視光線波長域：約４００〜７６０ｎｍ）では視認することができない光である。そこで、例えば、集光点８の近傍に赤外線を検知する赤外線検知センサー等を設けることにより、太陽光４の照射により赤外線からなる反射光５が集光されていることを数値によって示すものや、コタツやハロゲンヒータなどに利用されている赤外線ランプのように、赤外線からなる反射光５が照射されている場合、係る反射光に赤色の色を付けるものなどが挙げられる。これにより、利用者が誤って集光点８の近傍に手を近づけて火傷等を起こす可能性を回避することができる。反射光５の集光が行われていることを報知するものは、上述の視覚を通じて行うものに限らず、聴覚等を通じて行うものであってもよい。
【００４２】
また、説明を簡略化するために、集光調理器具１における太陽光４の反射を光吸収物質１３を含む光吸収層１４の表面で行うものを示したが（図３参照）、これに限定されるものではなく、光吸収層１４と反射板３の反射面２との界面で反射をさせるものであっても構わない。すなわち、光吸収層１４が透明性を有する素材で形成されている場合、反射板３に照射された太陽光４は、一度、光吸収層１４内に屈折して進入し、さらに反射面２によって反射された後、再び、光吸収層１４と外気との間で屈折して反射光５として反射するものであってもよい。つまり、紫外線１１等を選択的に吸収し、かつ反射板３の反射面２及び光吸収層１４の層面（図示しない）のいずれかで太陽光４を反射するものであれば構わない。なお、同様に第二実施形態における光吸収性フィルム２３のフィルム面（図示しない）において太陽光４を反射させるものであっても構わない。換言すれば、光吸収層４または光吸収性フィルム２３に太陽光４の反射機能を付した構成であってもよい。
【図面の簡単な説明】
【００４３】
【図１】第一実施形態の集光調理器具の構成を示す正面図である。
【図２】集光調理器具の構成を示す右側面図である。
【図３】反射面で反射される太陽光及び反射された反射光の状態を反射光の状態を模式的に示す説明図である。
【図４】集光調理器具の使用状態を示す説明図である。
【図５】第二実施形態の集光調理器具における光吸収性フィルムの（ａ）貼着前、及び（ｂ）貼着後の状態を模式的に示す説明図である。
【符号の説明】
【００４４】
１，２２  集光調理器具
２，２５  反射面（集光手段、二次集光手段）
３，２４  反射板
４  太陽光
５  反射光（二次反射光）
８  集光点
１１  紫外線
１２  可視光線
１３  光吸収物質（紫外線吸収手段、可視光線吸収手段）
１４  光吸収層（紫外線吸収手段、可視光線吸収手段）
２３  光吸収性フィルム（紫外線吸収手段、可視光線吸収手段）
Ｓ  太陽
【図１】
2005114190.tif 000003
【図２】
2005114190.tif 000004
【図３】
2005114190.tif 000005
【図４】
2005114190.tif 000006
【図５】
2005114190.tif 000007